(57)【特許請求の範囲】
【請求項１】
排出手段によって次々と斜め下方に排出される帳票を受け取る位置に配置されたスタッカ台であって、受け取った帳票を、その帳票の後端部分の上に後続の帳票の先端部分が重なるように、前記排出手段による排出速度よりも低速で直線状に搬送するスタッカベルトとそのスタッカベルトの下面を支持する支持板とを有するスタッカ台と、そのスタッカ台の下流位置に配置され、スタッカ台上を搬送されてきた帳票がそのスタッカ台上で斜め方向に立ち上がって集積されるよう案内する集積ガイドとを備えたスタッカ装置において、前記スタッカ台を、前記排出手段から受け取った帳票を集積ガイドに向かって斜め下方に直線状に搬送するよう、水平線に対する角度が５〜１５度となるように下向きに角度を付けて配置し、更に、前記スタッカ台の上方に、前記排出手段から排出され前記スタッカ台上に落下してきた帳票であって、後続の帳票が接触する前の状態にある帳票の先端を前記スタッカベルトとの間にはさみ込み、該帳票を前記スタッカベルトに押し付けて搬送力を付与する押さえコロを設けたことを特徴とするスタッカ装置。
【請求項２】
前記スタッカ台の水平線に対する角度を７〜１０度に設定したことを特徴とする請求項１記載のスタッカ装置。
【発明の詳細な説明】
【０００１】
【発明の属する技術分野】
本発明は、次々とほぼ水平に排出される帳票を、斜め方向に立てて重ねた状態に集積するスタッカ装置に関する。
【０００２】
【従来の技術】
従来より、図２に示すように、一定長さの帳票１を、排出ローラ２からほぼ水平に次々と排出し、帳票ガイド３で跳ね上がりを防止して斜め下方に案内し、その帳票１を、水平に配置されたスタッカベルト４とそのスタッカベルト４の下面を支持する支持板５を備えたスタッカ台６上に乗せると共に押さえコロ７でスタッカベルト４に押し付けて搬送力を与え、その帳票１をスタッカ台６の端部に搬送しその位置に配置された集積ガイド８に沿って立ち上げ、集積する構成のスタッカ装置９が使用されている。この種のスタッカ装置９では、帳票１をスタッカ台６の後端で良好に集積するため、排出ローラ２からスタッカベルト４上に排出した帳票の後端部分の上に次の帳票の先端部分を重ならせることが必要であり、このため、スタッカベルト４の搬送速度を、排出ローラ２の排出速度よりも小さく設定している。そして、図３（ａ）、（ｂ）に示すように、排出ローラ２から排出された帳票１ａがスタッカベルト４上に落下し、押さえコロ７でスタッカベルト４に押し付けられ、そのスタッカベルト４によって低速で搬送されている間に排出ローラ２が次の帳票１ｂを高速で送り出し、これによって、後続の帳票１ｂの先端がスタッカベルト４上の帳票１ａの後端を追い越し、その上に落下するようにしていた。
【０００３】
【発明が解決しようとする課題】
しかし、かかる従来のスタッカ装置では、排出ローラ２から排出された帳票１ａの後端がスタッカベルト４上に落下するのに時間がかかり、このため、排出ローラ２で高速で排出される後続の帳票１ｂの先端が、図４（ａ）に示すように、先行の帳票１ａの後端にぶつかるとか、図４（ｂ）に示すように、その下側に入ることがあり、これによってジャムや集積不良を生じることがあるという問題があった。特に、この現象は処理速度を高速化（例えば、２００ｍ／ｍｉｎ程度）した場合に顕著になり、高速運転が困難となっていた。
【０００４】
本発明は、かかる問題点を解決せんとするもので、高速処理時においても、スタッカ台上に排出する帳票が先行の帳票の後端にぶつかったり、その下に入り込んだりしてジャムや集積不良を生じるといったことを防止し、帳票を安定してスタッキングしうるスタッカ装置を提供することを目的とする
【０００５】
本発明者等は上記した従来の問題点の原因を検討の結果、排出ローラから排出された帳票がスタッカ台上で必ずしもスムースに移動するとは限らず、このため、帳票先端が押さえコロの下に入るまでに時間がかかることがあり、また、帳票とスタッカ台との間の空気が抜けにくいため帳票がスタッカ台上に落下するのに時間がかかることがあり、このため、図４（ａ）、（ｂ）に示すような問題を起こしていた。従って、スタッカ台上に排出された帳票がスムースにスタッカ台上に落下するようにすれば、これらの問題点を解決できる。
【０００６】
【課題を解決するための手段】
本発明はかかる知見に基づいてなされたもので、スタッカ台上に排出されてきた帳票の先端をスタッカベルトとの間にはさみ込み、該帳票を前記スタッカベルトに押し付けて搬送力を付与する押さえコロを備えたスタッカ台を、水平線に対する角度が５〜１５度となるように下向きに角度を付けて配置するという構成としたものである。この構成とすると、スタッカ台上流の排出手段から斜め下方に排出されて来た帳票が、傾斜したスタッカ台に沿って敏速に滑って押さえコロの下にかみ込まれ、押さえコロによって搬送され、また、帳票とスタッカ台との間の空気が抜けやすく、このため、帳票の後端が敏速に下降し、後続の帳票先端が追いついて来た時には確実にその帳票の下側に位置することとなる。このため、スタッカ台上に次々と排出される帳票を部分的に重なった状態に受け取ることができ、安定したスタッキングが可能となる。
【０００７】
【発明の実施の形態】
本発明は、排出手段によって次々と斜め下方に排出される帳票を受け取る位置に配置されたスタッカ台であって、受け取った帳票を、その帳票の後端部分の上に後続の帳票の先端部分が重なるように、前記排出手段による排出速度よりも低速で直線状に搬送するスタッカベルトとそのスタッカベルトの下面を支持する支持板とを有するスタッカ台と、そのスタッカ台の下流位置に配置され、スタッカ台上を搬送されてきた帳票がそのスタッカ台上で斜め方向に立ち上がって集積されるよう案内する集積ガイドとを備えたスタッカ装置において、前記スタッカ台を、前記排出手段から受け取った帳票を集積ガイドに向かって斜め下方に直線状に搬送するよう、水平線に対する角度が５〜１５度となるように下向きに角度を付けて配置し、更に、前記スタッカ台の上方に、前記排出手段から排出され前記スタッカ台上に落下してきた帳票であって、後続の帳票が接触する前の状態にある帳票の先端を前記スタッカベルトとの間にはさみ込み、該帳票を前記スタッカベルトに押し付けて搬送力を付与する押さえコロを設けたことを特徴とする。
【０００８】
ここで、前記スタッカ台に付与する傾斜角度としては、あまり小さいと、排出されてきた帳票が敏速に落下しにくくなって本発明の効果を発揮しにくくなり、一方、あまり大きくなるとスタッカ台上の帳票の搬送が不安定となって集積が困難となる。これらを考慮して、本発明では、スタッカ台の水平線に対する角度を５〜１５度に設定し、好ましくは、７〜１０度程度に設定する。
【０００９】
本発明のスタッカ装置は、任意の形式の帳票、例えば、単票からなる帳票、用紙を折り畳んだ形態の帳票、用紙を折り畳んで貼り合わせ、葉書状或いは封書状とした帳票、複数枚の単票を丁合して作成した帳票等の集積に使用可能であり、任意の帳票処理装置に組み合わせて使用可能である。その帳票処理装置の具体例としては、プリンタで印字した連続帳票を個々の帳票に切断して排出する装置、その連続帳票を折り重ね且つ個々の帳票に切断して排出する装置、連続帳票を折り重ね、個々の帳票に切断し、更に貼り合わせて排出する装置、複数枚の単票を重ね合せて綴じ、排出する装置等を挙げることができる。
【００１０】
【実施例】
以下、本発明のスタッカ装置を、バースター装置に組み合わせた実施例を説明する。図１は、バースター装置１０及びそれに組み合わせた本発明の実施例になるスタッカ装置９Ａを示す概略側面図であり、図２に示す従来例と同一部品には同一符号を付して示している。図１において、１０はバースター装置であり、連続帳票１Ａを搬送する第一送りローラ１１と、その第一送りローラ１１よりも速い速度で回転する第二送りローラ１２と、その第一送りローラ１１と第二送りローラ１２の間で連続帳票１Ａに接触する位置に配置されたブレード１３と、第二送りローラ１２の下流に配置された排出ローラ２、帳票ガイド３等を備えており、連続帳票１Ａを、その連続帳票１Ａに形成されている横ミシン目を利用して、且つ第一送りローラ１１、第二送りローラ１２による速度差並びにブレード１３によって個々の帳票１に切断し、排出ローラ２によって次々と排出する構成となっている。この排出ローラ２及び帳票ガイド３が、スタッカ装置９Ａに対して帳票を排出する排出手段を構成する。
【００１１】
スタッカ装置９Ａは、排出ローラ２によって排出される帳票１を受け取る位置に配置された、スタッカベルト４とそのスタッカベルト４の下面を支持する支持板５を備えたスタッカ台６Ａと、帳票１をスタッカベルト４に押し付けて搬送力を付与する押さえコロ７と、スタッカ台６Ａの端部に配置された集積ガイド８等を備えている。このスタッカ台６Ａは従来の装置とは異なり、下向きに角度を付けて配置されている。スタッカ台６Ａに付与する角度θ（水平線に対する角度）としては、通常５〜１５度程度に設定するものであり、本実施例では、約７度に設定している。その他の構成は、従来のものと同様である。
【００１２】
次に、バースター装置１０及びスタッカ装置９Ａの動作を説明する。バースター装置１０が連続帳票１Ａを個々の帳票１に切り離し、その帳票１を排出ローラ２及び帳票ガイド３でスタッカベルト４上に次々と排出してゆく。排出された帳票１は、傾斜して配置されたスタッカ台６上を敏速に滑って先端が直ちにスタッカベルト４と押さえコロ７の間にはさみ込まれ、スタッカベルト４によって搬送される。これにより、その帳票１の後端も敏速にスタッカベルト４上に落下する。また、スタッカ台４が傾斜していることにより、落下してきた帳票１とスタッカ台４との間の空気が抜けやすく、この点からも帳票１の後端が敏速にスタッカ台４上に下降する。このため、排出ローラ２による帳票の排出速度を、例えば、２００ｍ／ｍｉｎのように高くした場合であっても、排出ローラ２が次の帳票１を排出する時、先行の帳票１の後端は既に下降しており、後続の帳票１の先端が、スタッカベルト４で搬送されている先行の帳票１の後端を追い越す時には、その先行の帳票１の上方を追い越すこととなり、図４に示す従来例のように、後続の帳票先端が先行の帳票後端にぶつかるとか、その下に入り込むといったことがない。かくして、図１に示すように、排出ローラ２から次々と排出される帳票１は、スタッカベルト４上で先行の帳票１の後端の上に後続の帳票１の先端が重ねられてゆき、従ってこの部分で紙詰まりを起こすことがなく、その後、スタッカベルト４の後端に送られ、良好に集積される。
【００１３】
【発明の効果】
以上に説明したように、本発明のスタッカ装置は、スタッカ台上に排出されてきた帳票の先端をスタッカベルトとの間にはさみ込み、該帳票を前記スタッカベルトに押し付けて搬送力を付与する押さえコロを備えたスタッカ台を、下向きの角度をつけて配置したことにより、排出手段から斜め下方にスタッカ台上に排出されて来た帳票が、傾斜したスタッカ台に沿って敏速に滑って押さえコロの下にかみ込まれ、押さえコロによって搬送されるためその帳票の後端が敏速に下降し、このためスタッカベルトよりも高速で排出されてくる後続の帳票の先端が、先行の帳票の後端上に重ねられることとなり、帳票の排出、スタッキングがスムースになり、また、高速処理が可能となるという効果を有している。
【図面の簡単な説明】
【図１】バースター装置及びそれに組み合わせた本発明の実施例になるスタッカ装置を示す概略側面図
【図２】従来のスタッカ装置を示す概略側面図
【図３】（ａ）、（ｂ）はスタッカベルト上に帳票が排出されて重ねられる状態を説明する概略側面図
【図４】（ａ）、（ｂ）はそれぞれ、スタッカベルト上に帳票が排出されて重ねられる際に生じるトラブルを説明する概略側面図
【符号の説明】
１  帳票
１Ａ  連続帳票
１ａ  先行の帳票
１ｂ  後続の帳票
２  排出ローラ
３  帳票ガイド
４  スタッカベルト
５  支持板
６、６Ａ  スタッカ台
７  押さえコロ
８  集積ガイド
９、９Ａ  スタッカ装置
１０  バースター装置
１１  第一送りローラ
１２  第二送りローラ
１３  ブレード
【図１】
0004071337.tif 000002
【図２】
0004071337.tif 000003
【図３】
0004071337.tif 000004
【図４】
0004071337.tif 000005